(57)【特許請求の範囲】
【請求項１】
電気信号を空気振動に変換して音を再生するスピーカーユニット(1)を、鉛直方向に向けて設置される筒状の筐体(2)の上端部に振動板(4)が上方へ向くように取り付けたスピーカー装置において、前記スピーカユニット(1)の背面側から下方へ延びる支持棒(7)に、弾性を有するスポンジ状の芯部吸音材(8)を上部から下部まで多数枚積層して挿通し、前記筐体(2)の内部に、上下に連通する空間を確保しつつ、芯部吸音材(8)を支持棒(7)と共に挿入し、筐体(2)の下端部に、内部空間を外部に開放する保持部材(17)を嵌めて、保持部材(17)により芯部吸音材(8)を下方から受け止め、支持棒(7)の下端部と保持部材(17)とを緩衝部材(18)を介して係止したことを特徴とするスピーカー装置。
【請求項２】
前記芯部吸音材(8)として、放射状に延びる複数の腕部を備えた星形吸音材と(9)、その腕部の先端より小径の小円形吸音材(10)とを組み合わせて使用したことを特徴とする請求項１に記載のスピーカー装置。
【請求項３】
前記芯部吸音材(8)として、星形吸音材(9)及び小円形吸音材(10)に加え、前記筐体(2)の下部側に、上下に貫通する複数の開口部(11a)を有する大円形吸音材(11)を挿入し、この大円形吸音材(11)が筐体(2)の内周に包囲されるようにしたことを特徴とする請求項２に記載のスピーカー装置。
【発明の詳細な説明】
【技術分野】
【０００１】
この発明は、特に楽音等における低周波波形の忠実な再生を考慮したスピーカー装置に関するものである。
【背景技術】
【０００２】
一般に、スピーカー装置は、振動板、コイル、マグネット及びフレームから成るスピーカーユニットを、箱型や球状の筐体に振動板が正面に向くように取り付け、スピーカーユニットにより電気信号を振動板の振動に変換して音を再生するものとされ、筐体の背面は閉じられた構造となっている。
【０００３】
このような構造のスピーカー装置では、スピーカーユニットの振動板の背面から輻射された音波が筐体の壁面で反射され、振動板の背面に圧力を加え、音響インピーダンスのリアクタンス分を増加させるので、振動板の正面から放射される音圧が周波数によって変化し、位相特性も大きく乱れ、高忠実度再生が阻害されるという問題がある。
【０００４】
上記問題の改善を図ったスピーカー装置として、下記特許文献１（段落００７４−００７８、図２７）には、図１０に示すものが記載されている。このスピーカー装置は、スピーカーユニット５１を、設置面Ｇ上に支持台５２により直立させて支持される円筒状の筐体５３の上端部に、振動板５４が上方へ向くように取り付けたものとされている。
【０００５】
このスピーカー装置では、振動板５４の下側に位置するマグネット５５の背面から下方へ棒状錘５６を延設し、棒状錘５６の外周のほぼ全体を円筒形状のウレタンチューブ５７で包囲し、これにガラス繊維の吸音シート５８を巻き付け、さらにその最上部に、グラスウールやフェルトの吸音材５９を巻き付けて、これを筐体５３内に充填している。
【先行技術文献】
【特許文献】
【０００６】
【特許文献１】特許第３４８４１４３号公報
【発明の概要】
【発明が解決しようとする課題】
【０００７】
しかしながら、図１０のようなスピーカー装置では、音質を微妙に調整して設定することができず、また、製造に際し、吸音材５８，５９を棒状錘５６の周りに巻き付けた状態に保持するため、糸で縛る等の作業が必要となり、手間がかかるほか、量産する際、吸音材５８，５９を均一に巻き付けて、音質を安定させるのが難しいという問題がある。
【０００８】
また、持ち運びに際し、手荒く扱うと、棒状錘５６が上端部を中心に揺動して、これに伴い発生する振動や衝撃により、スピーカーユニット５１等が破損するおそれもある。
【０００９】
そこで、この発明は、音質の調整及び製造作業を容易に行うことができるようにし、また、運搬時の振動や衝撃による破損を防止することを課題とするものである。
【課題を解決するための手段】
【００１０】
上記課題を解決するため、この発明では、電気信号を空気振動に変換して音を再生するスピーカーユニットを、鉛直方向に向けて設置される筒状の筐体の上端部に振動板が上方へ向くように取り付けたスピーカー装置において、前記スピーカユニットの背面側から下方へ延びる支持棒に、弾性を有するスポンジ状の芯部吸音材を上部から下部まで多数枚積層して挿通し、前記筐体の内部に、上下に連通する空間を確保しつつ、芯部吸音材を支持棒と共に挿入し、筐体の下端部に、内部空間を外部に開放する保持部材を嵌めて、保持部材により芯部吸音材を下方から受け止め、支持棒の下端部と保持部材とを緩衝部材を介して係止したのである。
【００１１】
また、前記芯部吸音材として、放射状に延びる複数の腕部を備えた星形吸音材と、その腕部の先端より小径の小円形吸音材とを組み合わせて使用したのである。
【００１２】
さらに、前記芯部吸音材として、星形吸音材及び小円形吸音材に加え、前記筐体の下部側に、上下に貫通する複数の開口部を有する大円形吸音材を挿入し、この大円形吸音材が筐体の内周に包囲されるようにしたのである。
【発明の効果】
【００１３】
この発明に係るスピーカー装置では、芯部吸音材の形状や向き、積層する数、材質等を種々変更することにより、音質を容易に調整して設定することができ、従来のように、吸音材を巻き付けて糸で縛る等の作業が不要となるので、製造時のばらつきが生じることがなく、作業性に優れ、良好で安定した音質が得られる。
【００１４】
また、支持棒の下端部を、筐体の下端部に嵌めた保持部材に緩衝材を介して係止しているので、設置場所の変更等に伴い持ち運ぶ際、支持棒が激しく揺動することがなく、スピーカーユニット等の損傷が防止され、手軽に運搬することができる。
【図面の簡単な説明】
【００１５】
【図１】この発明の実施形態に係るスピーカー装置の概略斜視図
【図２】同上の縦断面図
【図３】（ａ）星形吸音材を示す斜視図、（ｂ）小円形吸音材を示す斜視図，（ｃ）大円形吸音材を示す斜視図
【図４】同上の芯部吸音材の積層過程を示す斜視図
【図５】同上の筐体への挿入過程を示す斜視図
【図６】同上の組立状態での上部拡大縦断面図
【図７】同上の下部の組立過程を示す斜視図
【図８】同上の組立状態での下部拡大縦断面図
【図９】芯部吸音材の他の実施形態を示す斜視図
【図１０】従来のスピーカー装置を示す一部切欠斜視図
【発明を実施するための形態】
【００１６】
以下、この発明の実施形態を添付図面に基づいて説明する。
【００１７】
このスピーカー装置は、図１及び図２に示すように、スピーカーユニット１を、鉛直方向に向けて設置される円筒状の筐体２の上端部に取り付け、この筐体２を、３本の脚体３ａを有する支持台３により、グランドとなる床やラック等の設置面上に支持するものとされている。
【００１８】
スピーカーユニット１は、振動板４をフレーム５で支持し、振動板４の中心部の背面側にコイルとマグネット６とを備え、コイルに入力された電気信号を、コイルとマグネット６との相互作用により振動板４の振動に変換して、音を再生するものであり、音場空間を広く確保するため、振動板４が上方へ向くように筐体２に取り付けられている。
【００１９】
マグネット６の中心部には、組立状態で下方へ向けて延びるように、金属製ねじ棒である支持棒７の上端部がねじ込んで固定されている。支持棒７には、弾性を有するウレタンフォーム等から成るスポンジ板状の芯部吸音材８が、その中央部に設けた軸穴８ａを利用して、上部から下部まで多数枚積層して挿通されている。
【００２０】
芯部吸音材８としては、図３（ａ）に示すように、放射状に延びる複数の腕部を備えた星形吸音材９と、図３（ｂ）に示すように、星形吸音材９の腕部の先端より小径の小円形吸音材１０と、図３（ｃ）に示すように、上下二層の大径部間が括れた大円形吸音材１１とが組み合わせて使用されている。
【００２１】
大円形吸音材１１の外周部寄りには、上下に貫通する複数の丸穴の開口部１１ａが周方向に並べて形成されている。開口部１１ａの外側には、スピーカーユニット１から下方へ延びるリード線Ｃを挿入する切込が入れられている。
【００２２】
星形吸音材９と小円形吸音材１０とは、図４に示すように、支持棒７に交互に重ねて挿通され、このように積層された芯部吸音材８は、組み立てに際し、図５に示すように、支持棒７と共に筐体２内に挿入される。
【００２３】
このとき、図５及び図６に示すように、筐体２の上端部には、スピーカーユニット１を嵌合保持するため、短円筒状の取付部材１２が嵌められ、取付部材１２の溝部とフレーム５に設けられたフランジ１３の間には、ゴム製の緩衝部材１４が嵌められる。
【００２４】
また、フレーム５の上端のフランジ１３の上方には、振動板４を保護するため、ドーム状のメッシュ部分を有する保護カバー１５が被せられ、保護カバー１５は、外周部の爪により、取付部材１２に係止される。
【００２５】
一方、筐体２の下端部では、図７及び図８に示すように、大円形吸音材１１が支持棒７に挿通されている。筐体２の下部内周には、その一部として接続筒２ａがスポンジ等の緩衝部材２ｂを挟んで止ねじ２ｃにより固定され、筐体２の下端部と支持台３とは、接続筒２ａを支持台３の開口部に螺合させて接続されている。
【００２６】
筐体２の内周には、図２、図６及び図８に示すように、上端側から下端側へかけて、周部吸音材１６が円筒状に張設され、芯部吸音材８の大円形吸音材１１は、接続筒２ａに内接している。
【００２７】
筐体２の下端部には、保持部材１７が嵌められ、図７及び図８に示すように、保持部材１７は、中央側のボス部と外周側のリング部を繋ぐスポーク間に開口部１７ａを備えたものとされている。そして、芯部吸音材８は、保持部材１７により下方から受け止められ、支持棒７の下端部と保持部材１７とがゴム製の緩衝部材１８を介して係止されている。
【００２８】
この係止部においては、保持部材１７のボス部から下方へ突出した支持棒７を、緩衝部材１８の中央の穴に挿通し、緩衝部材１８から下方へ突出した支持棒７にワッシャ１９を嵌め、ナット２０をねじ込んで締め付けている。
【００２９】
そして、図１及び図２に示すように、支持棒７の下端部へのナット２０のねじ込みにより、緩衝部材１４，１８に圧縮力が付与された状態で、スピーカーユニット１と筐体２とが一体化されている。この組立状態において、筐体２の内部には、上下に連通した空間が確保され、この内部空間は、保持部材１７の開口部１７ａを介し外部に開放される。
【００３０】
ここで、芯部吸音材８としては、図９に示すように、例えば、小円形吸音材１０とこれより小径の円筒形吸音材２１とを交互に重ねて支持棒７に挿通したもの等、種々の積層態様のものを使用できる。
【００３１】
また、芯部吸音材８の各部材に、外周から軸穴８ａに達する切込を入れ、この切込を介して支持棒７に芯部吸音材８の各部材を外径方向から挿通できるようにし、積層態様を容易に変更できるようにしてもよい。
【００３２】
上記のようなスピーカー装置では、芯部吸音材８の形状や向き、積層する数、材質等を種々変更することにより、音質を容易に調整して設定することができ、従来のように、吸音材を巻き付けて糸で縛る等の作業が不要となるので、製造時のばらつきが生じることがなく、作業性に優れ、良好で安定した音質が得られる。
【００３３】
また、支持棒７の下端部を、筐体２の下端部に嵌めた保持部材１７に緩衝部材１８を介して係止しているので、設置場所の変更等に伴い持ち運ぶ際、支持棒７が激しく揺動することがなく、スピーカーユニット１等の損傷が防止され、手軽に運搬することができる。
【符号の説明】
【００３４】
１  スピーカーユニット
２  筐体
２ａ  接続筒
２ｂ  緩衝部材
２ｃ  止ねじ
３  支持台
３ａ  脚体
４  振動板
５  フレーム
６  マグネット
７  支持棒
８  芯部吸音材
８ａ  軸穴
９  星形吸音材
１０  小円形吸音材
１１  大円形吸音材
１１ａ  開口部
１２  取付部材
１３  フランジ
１４  緩衝部材
１５  保護カバー
１６  周部吸音材
１７  保持部材
１７ａ  開口部
１８  緩衝部材
１９  ワッシャ
２０  ナット
２１  円筒形吸音材
Ｃ  リード線
【図１】
0005620856.tif 000002
【図２】
0005620856.tif 000003
【図３】
0005620856.tif 000004
【図４】
0005620856.tif 000005
【図５】
0005620856.tif 000006
【図６】
0005620856.tif 000007
【図７】
0005620856.tif 000008
【図８】
0005620856.tif 000009
【図９】
0005620856.tif 000010
【図１０】
0005620856.tif 000011